Podtech/llm-jp-corpus-v4-ja_patent huggingface dataset:
【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
基板上のゲート電極層と、
前記ゲート電極層を覆って設けられた第１の絶縁層と、
前記第１の絶縁層上に、離間して設けられた第２の絶縁層及び第３の絶縁層と、
前記第２の絶縁層上に接して設けられた第１の微結晶半導体層と、
前記第３の絶縁層上に接して設けられた第２の微結晶半導体層と、
少なくとも、前記第２及び第３の絶縁層の間に位置する前記第１の絶縁層、前記第２及び第３の絶縁層、及び前記第１及び第２の微結晶半導体層を覆う非晶質半導体層と、
前記非晶質半導体層上に、離間して設けられた第１及び第２の不純物半導体層と、を有し、
前記第１及び第２の微結晶半導体層の少なくとも一部は、前記第１の絶縁層を介して前記ゲート電極層と重なっており、
前記第１及び第２の不純物半導体層の少なくとも一部は、前記非晶質半導体層を介して前記ゲート電極層と重なっており、
前記第２及び第３の絶縁層は、前記第１の絶縁層と異なる絶縁材料からなることを特徴とする薄膜トランジスタ。
【請求項２】
請求項１において、
前記非晶質半導体層は、前記第２及び第３の絶縁層の間において、前記第１の絶縁層と接することを特徴とする薄膜トランジスタ。
【請求項３】
請求項１又は請求項２において、
前記第１の絶縁層は、窒化シリコンを含み、前記第２及び第３の絶縁層は、酸化窒化シリコンを含むことを特徴とする薄膜トランジスタ。
【請求項４】
請求項１乃至請求項３のいずれか一において、
前記第１の絶縁層は、前記第２及び第３の絶縁層と接する領域において第１の膜厚を有し、前記第２及び第３の絶縁層と接しない領域において第２の膜厚を有し、前記第１の膜厚は、前記第２の膜厚よりも大きいことを特徴とする薄膜トランジスタ。
【請求項５】
請求項４において、
前記第１及び第２の微結晶半導体層の側面と前記第２及び第３の絶縁層の側面は、概略一致していることを特徴とする薄膜トランジスタ。
【請求項６】
請求項１乃至請求項５のいずれか一において、
前記微結晶半導体層の電気伝導度が１×１０-5Ｓ・ｃｍ-1以上５×１０-2Ｓ・ｃｍ-1以下であることを特徴とする薄膜トランジスタ。
【請求項７】
請求項１乃至請求項５のいずれか一において、
前記第１及び第２の微結晶半導体層には、ドナーとなる不純物元素が添加されていることを特徴とする薄膜トランジスタ。
【請求項８】
請求項７において、
前記微結晶半導体層における前記不純物元素の濃度は、２×１０18ｃｍ-3以上５×１０18ｃｍ-3以下であることを特徴とする薄膜トランジスタ。
【請求項９】
請求項１乃至請求項８のいずれか一において、
前記非晶質半導体層は非晶質シリコン層であることを特徴とする薄膜トランジスタ。
【請求項１０】
請求項１乃至請求項９のいずれか一において、
前記非晶質半導体層は、フッ素又は塩素を含むことを特徴とする薄膜トランジスタ。
【請求項１１】
請求項１乃至請求項１０のいずれか一において、
前記基板は、ガラス基板、セラミック基板、プラスチック基板、表面に絶縁層が設けられた金属基板のいずれかであることを特徴とする薄膜トランジスタ。
【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
反応室と、
前記反応室内にグロー放電プラズマを生成する機能を有する電極と、
前記電極と電気的に接続された、第１の高周波カットフィルタ及び第２の高周波カットフィルタと、
前記第１の高周波カットフィルタと電気的に接続された第１の整合器と、
前記第１の整合器と電気的に接続された第１の高周波電源と、
前記第２の高周波カットフィルタと電気的に接続された第２の整合器と、
前記第２の整合器と電気的に接続された第２の高周波電源とを有し、
前記第１の高周波電源から出力される高周波の電波は、１０ｍ以上の波長を有し、
前記第２の高周波電源から出力される高周波の電波は、１０ｍ未満の波長を有し、
前記第１の高周波カットフィルタは、前記第２の高周波電源からの高周波電力を遮断する機能を有し、
前記第２の高周波カットフィルタは、前記第１の高周波電源からの高周波電力を遮断する機能を有することを特徴とするプラズマ処理装置。
【請求項２】
請求項１において、
前記反応室内を真空排気する手段を有し、
前記真空排気する手段は、第１のターボ分子ポンプと第２のターボ分子ポンプとが直列に接続された構造を有することを特徴とするプラズマ処理装置。
【請求項３】
請求項１または請求項２において、
前記反応室の気密する手段を有し、
前記気密する手段は、ナイフエッジ型メタルシールフランジを有することを特徴とするプラズマ処理装置。
【請求項４】
反応室内に第１の反応ガスを導入し、
前記反応室内の上部電極に３０ＭＨｚ以上３００ＭＨｚ以下の範囲内に設定された周波数を有する高周波電力を印加してグロー放電プラズマを生成し、
前記反応室内の下部電極上に載置された基板上に微結晶半導体膜を堆積し、
前記反応室内に第２の反応ガスを導入し、
前記上部電極に３０ＭＨｚ以上３００ＭＨｚ以下の範囲内に設定された周波数を有する高周波電力を印加してグロー放電プラズマを生成し、
前記微結晶半導体膜上に非晶質半導体膜を積層することを特徴とする半導体装置の作製方法。
【請求項５】
反応室内に反応ガスを導入し、
前記反応室内の上部電極に３ＭＨｚ以上３０ＭＨｚ未満の範囲内に設定された第１の周波数を有する第１の高周波電力と、３０ＭＨｚ以上３００ＭＨｚ以下の範囲内に設定された第２の周波数を有する第２の高周波電力とを重畳印加してグロー放電プラズマを生成し、
前記反応室内の下部電極上に載置された基板に微結晶半導体膜を堆積し、
前記微結晶半導体膜を堆積した後に前記反応室内に水素を導入して前記上部電極に３０ＭＨｚ以上３００ＭＨｚ以下の範囲内に設定された第３の周波数を有する第３の高周波電力を印加して前記微結晶半導体膜にプラズマ処理を行うことを特徴とする半導体装置の作製方法。
【手続補正書】
【提出日】平成24年2月24日(2012.2.24)
【手続補正１】
【補正対象書類名】明細書
【補正対象項目名】発明の名称
【補正方法】変更
【補正の内容】
【発明の名称】半導体基板の作製方法、半導体基板及び半導体装置
【手続補正２】
【補正対象書類名】特許請求の範囲
【補正対象項目名】全文
【補正方法】変更
【補正の内容】
【特許請求の範囲】
【請求項１】
第１の単結晶半導体基板の表面にイオンを照射して、前記第１の単結晶半導体基板の表面から所定の深さに脆化層を形成し、
前記第１の単結晶半導体基板と、ベース基板とを、前記第１の単結晶半導体基板または前記ベース基板の少なくとも一方に設けられた絶縁層を介して、それぞれ貼り合わせ、
熱処理によって、前記脆化層を境として前記第１の単結晶半導体基板を第２の単結晶半導体層と第３の単結晶半導体層に分離することにより、前記ベース基板上に前記第２の単結晶半導体層を固定し、
前記第２の単結晶半導体層の複数の領域に対して、互いに異なるエネルギー密度条件にてレーザ光を照射し、
前記第２の単結晶半導体層の前記レーザ光を照射した領域の炭素及び水素の深さ方向の濃度分布をそれぞれ測定し、
前記第２の単結晶半導体層の深さ方向の炭素濃度分布が極大を有し、且つ、水素濃度分布がショルダーピークを有するエネルギー密度条件にて前記第３の単結晶半導体層へレーザ光を照射することを特徴とする半導体基板の作製方法。
【請求項２】
請求項１において、
前記炭素濃度分布の極大は、前記第２の単結晶半導体層中であって、前記絶縁層との界面から２０ｎｍ以内の領域に有することを特徴とする半導体基板の作製方法。
【請求項３】
請求項１又は請求項２において、
前記第３の単結晶半導体層を部分溶融状態とするエネルギー密度で、前記レーザ光を照射することを特徴とする半導体基板の作製方法。
【請求項４】
請求項１乃至請求項３のいずれか一において、
前記レーザ光は、パルスレーザであることを特徴とする半導体基板の作製方法。
【請求項５】
請求項１乃至請求項４のいずれか一に記載の作製方法で作製された半導体基板を用いて、半導体装置を作製する方法であって、
前記半導体基板上の前記第３の単結晶半導体層を含む半導体素子を作製することを特徴とする半導体装置の作製方法。
【請求項６】
ベース基板と、
前記ベース基板上に設けられた絶縁層と、
前記絶縁層を介して、前記ベース基板に固定された単結晶半導体層と、を有し、
前記単結晶半導体層は、深さ方向の炭素濃度分布が極大を有し、且つ水素濃度分布がショルダーピークを有することを特徴とする半導体基板。
【請求項７】
請求項６に記載の前記半導体基板を用いて作製されたことを特徴とする半導体装置。
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
表面に微細凹凸構造を有する太陽電池用透明部材であって、
前記微細凹凸構造が、陽極酸化アルミナの表面の微細凹凸構造を転写して形成されたものである、太陽電池用透明部材。
【請求項２】
表面に微細凹凸構造を有する太陽電池用透明部材であって、
前記微細凹凸構造のアスペクト比が１〜５である、太陽電池用透明部材。
【請求項３】
前記微細凹凸構造が、複数の凸部を有し、該凸部間の平均周期が４００ｎｍ以下である、請求項１または２に記載の太陽電池用透明部材。
【請求項４】
請求項１〜３に記載の太陽電池用透明部材が、前記微細凹凸構造が形成された側の表面が光の入射側となるように配置された、太陽電池。
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
噴射ヘッドに設けられた噴射ノズルから、沈降性の成分が含まれる液体を噴射する液体噴射装置であって、
前記液体を収容した液体収容部と、
前記液体収容部内の液体を前記噴射ヘッドまで導く液体通路と、
前記液体通路内の液体の流速が所定流速以上であるか否かを判定する流速判定手段と、
前記液体に含まれる前記沈降性の成分が前記噴射ヘッド内あるいは前記液体通路内で沈降することを回避するために、前記噴射ノズルから前記液体を排出する液体排出手段と、
前記液体排出手段が前記液体を排出した後に計時を開始して、前記液体通路内の液体の流速が前記所定流速に達していない時間である低流速時間を取得する低流速時間取得手段と
を備え、
前記液体排出手段は、取得された前記低流速時間の長さに応じて、前記噴射ノズルからの前記液体の排出状態を変化させる手段である液体噴射装置。
【請求項２】
請求項１に記載の液体噴射装置であって、
前記所定流速は、前記液体に含まれる前記沈降性の成分の沈降速度と同じ大きさに設定されている液体噴射装置。
【請求項３】
請求項１または請求項２に記載の液体噴射装置であって、
前記低流速時間取得手段は、前記液体排出手段が前記液体を排出してからの経過時間と、該経過時間の計時中に前記液体通路内を前記液体が前記所定流速以上の流速で流れていた時間とを計時することにより、前記低流速時間を取得する手段である液体噴射装置。
【請求項４】
請求項１または請求項２に記載の液体噴射装置であって、
前記低流速時間取得手段は、前記液体排出手段が前記液体を排出した後、前記液体通路内の液体の流速が前記所定流速に達していない時間を計時することにより、前記低流速時間を取得する手段である液体噴射装置。
【請求項５】
請求項１ないし請求項４の何れか一項に記載の液体噴射装置であって、
前記液体排出手段は、前記低流速時間が長くなるほど、前記噴射ノズルから多くの前記液体を排出する手段である液体噴射装置。
【請求項６】
請求項１ないし請求項４のいずれか一項に記載の液体噴射装置であって、
前記液体排出手段は、前記低流速時間が予め定められた一定時間に達したときに、前記噴射ノズルから規定量の液体を排出する手段である液体噴射装置。
【請求項７】
請求項１ないし請求項６の何れか一項に記載の液体噴射装置であって、
前記噴射ノズルから排出された液体を受ける凹部が形成されているとともに、前記噴射
ヘッドに当接されることで、前記噴射ノズルの周囲に閉空間を形成する液体受け部と、
前記液体受け部の前記凹部に接続された吸引ポンプと
を備え、
前記液体排出手段は、前記液体受け部を前記噴射ヘッドに当接させた状態で前記吸引ポ
ンプを作動させることにより、前記噴射ノズルから前記液体を排出する手段である液体噴
射装置。
【手続補正２】
【補正対象書類名】明細書
【補正対象項目名】０００８
【補正方法】変更
【補正の内容】
【０００８】
上述した課題の少なくとも一部を解決するために、本発明の液体噴射装置は次の構成を採用した。すなわち、噴射ヘッドに設けられた噴射ノズルから、沈降性の成分が含まれる液体を噴射する液体噴射装置であって、前記液体を収容した液体収容部と、前記液体収容部内の液体を前記噴射ヘッドまで導く液体通路と、前記液体通路内の液体の流速が所定流速以上であるか否かを判定する流速判定手段と、前記液体に含まれる前記沈降性の成分が前記噴射ヘッド内あるいは前記液体通路内で沈降することを回避するために、前記噴射ノズルから前記液体を排出する液体排出手段と、前記液体排出手段が前記液体を排出した後に計時を開始して、前記液体通路内の液体の流速が前記所定流速に達していない時間である低流速時間を取得する低流速時間取得手段とを備え、前記液体排出手段は、取得された前記低流速時間の長さに応じて、前記噴射ノズルからの前記液体の排出状態を変化させる手段であることを要旨とする。
【手続補正３】
【補正対象書類名】明細書
【補正対象項目名】００１９
【補正方法】変更
【補正の内容】
【００１９】
また、こうした本発明の液体噴射装置においては、低流速時間が長くなるほど、噴射ノズルから多くの液体を排出することとしてもよい。
また、こうした本発明の液体噴射装置においては、低流速時間が予め定められた一定時間に達したときに、噴射ノズルから規定量の液体を排出することとしてもよい。
【手続補正書】
【提出日】平成24年8月3日(2012.8.3)
【手続補正１】
【補正対象書類名】明細書
【補正対象項目名】００１５
【補正方法】変更
【補正の内容】
【００１５】
上記課題を解決するため、請求項１記載の発明は、印刷を行うエンジン部と、画像データの処理及び該エンジン部のパワー制御を行うコントローラとを有するプリンタにおいて、前記エンジン部は、電源スイッチと、リレーと、主電源と、主回路、省電力状態からの復帰に必要な上位装置インターフェースと、操作パネルなどの操作部インターフェースを有し、前記コントローラは、電力制御部と、電力制御用電源を有し、前記電力制御用電源は、電源回路と、前記電源回路の出力端に接続されたコンデンサと、前記電源回路をオンオフするスイッチ部と、前記電源回路の出力電圧を検出し、前記コンデンサの電圧が所定の値以下になると補充電をするため前記スイッチ部をオンにし、前記コンデンサの電圧が所定の値より大きくなると前記スイッチ部をオフにする信号を前記スイッチ部に送る定電圧検出部とを有し、前記プリンタは、前記電源スイッチがオンされると、交流電源の電力が前記電力制御用電源に給電され、前記電力制御部が起動し、前記電力制御部が前記リレーをオンすることで前記主電源が起動し、前記プリンタを制御する前記主回路に給電を開始し、前記コントローラは、前記プリンタの省電力状態時に、前記上位装置インターフェースと前記操作部インターフェースの電源には前記コンデンサから給電を行うとともに、前記上位装置インターフェースと前記操作部インターフェース以外の電源の動作を停止することを特徴とする。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
印刷を行うエンジン部と、画像データの処理及び該エンジン部のパワー制御を行うコントローラとを有するプリンタにおいて、
前記エンジン部は、電源スイッチと、リレーと、主電源と、主回路、省電力状態からの復帰に必要な上位装置インターフェースと、操作パネルなどの操作部インターフェースを有し、
前記コントローラは、電力制御部と、電力制御用電源を有し、
前記電力制御用電源は、電源回路と、前記電源回路の出力端に接続されたコンデンサと、
前記電源回路をオンオフするスイッチ部と、前記電源回路の出力電圧を検出し、前記コンデンサの電圧が所定の値以下になると補充電をするため前記スイッチ部をオンにし、前記コンデンサの電圧が所定の値より大きくなると前記スイッチ部をオフにする信号を前記スイッチ部に送る定電圧検出部とを有し、
前記プリンタは、前記電源スイッチがオンされると、交流電源の電力が前記電力制御用電源に給電され、前記電力制御部が起動し、前記電力制御部が前記リレーをオンすることで前記主電源が起動し、前記プリンタを制御する前記主回路に給電を開始し、
前記コントローラは、前記プリンタの省電力状態時に、前記上位装置インターフェースと前記操作部インターフェースの電源には前記コンデンサから給電を行うとともに、前記上位装置インターフェースと前記操作部インターフェース以外の電源の動作を停止することを特徴とするプリンタ。
【請求項２】
印刷を行うエンジン部と、画像データの処理及び該エンジン部のパワー制御を行うコントローラとを有するプリンタにおいて、
前記コントローラは、プリンタの省電力状態時に、休止状態にすべき回路の電源への給電を部分的に停止するようにしたことを特徴とするプリンタ。
【請求項３】
請求項２記載のプリンタにおいて、前記省電力状態から定常状態への復帰に必要な回路の電源及びその他の電源を持ち、
前記コントローラは、前記省電力状態から前記定常状態への復帰に必要な回路以外の電源の動作を停止するようにしたことを特徴とするプリンタ。
【請求項４】
請求項３記載のプリンタにおいて、
電源回路と、
前記電源回路の出力端に接続されたコンデンサと、
前記電源回路をオンオフするスイッチ部と、
前記電源回路の出力電圧を検出し、前記コンデンサの電圧が所定の値以下になると補充電をするため前記スイッチ部をオンにし、前記コンデンサの電圧が所定の値より大きくなると前記スイッチ部をオフにする信号を前記スイッチ部に送る定電圧検出部と、
を有し、
前記コントローラは、前記省電力状態からの復帰に必要な回路の電源には前記コンデンサから給電を行うようにしたことを特徴とするプリンタ。
【請求項５】
プリンタの省電力状態時に休止状態にすべき回路の電源への給電を、部分的に停止することを特徴とするプリンタ給電方法。
【請求項６】
請求項５記載のプリンタ給電方法において、前記省電力状態から定常状態への復帰に必要な回路の電源及びその他の電源を持ち、前記省電力状態から前記定常状態への復帰に必要な回路以外の電源の動作を停止することを特徴とするプリンタ給電方法。
【請求項７】
請求項６記載のプリンタ給電方法において、前記省電力状態からの復帰に必要な回路の電源にはコンデンサから給電を行い、該コンデンサの電圧が所定の電圧以下に低下した場合に補充電をすることを特徴とするプリンタ給電方法。
【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
被加工材を上部に載置可能なベース部と、
第１の軸周りに回転可能に前記ベース部に設けられるテーブル部と、
前記第１の軸に略直交する第２の軸周りに回転可能に前記テーブル部に設けられ前記テーブル部の上方で上下に揺動する揺動部と、
回転子と固定子とを備え、前記回転子は出力軸を有し、前記回転子と前記固定子のいずれか一方は前記出力軸の軸方向視において前記出力軸を中心に円周方向に配列した略環状の複数のコイルが設けられた円板状のコイルディスクを有し、前記回転子と前記固定子のいずれか他方は前記コイルディスクを前記出力軸の軸方向に通過する磁束を発生させる磁束発生手段を有する、扁平モータと、該扁平モータの出力軸の軸方向と前記第２の軸の軸方向それぞれと略平行になるように軸方向が配置される回転刃回転軸に取付け可能な回転刃と、該扁平モータの動力を回転刃に伝達する動力伝達部と、を有し、前記揺動部に設けられる切断部と、を備える、
ことを特徴とする卓上切断機。
【請求項２】
前記テーブル部と前記揺動部との間には、前記第１の軸および前記第２の軸それぞれと略直交する第３の軸周りに回転可能に前記テーブル部に取付けられるとともに前記第２の軸回りに回転可能に前記揺動部を支持する傾動部が設けられる、
ことを特徴とする請求項１に記載の卓上切断機。
【請求項３】
前記傾動部と前記揺動部との間には、前記第３の軸の軸方向と略平行に移動可能に、前記揺動部を前記傾動部に支持するスライド支持部が設けられる、
ことを特徴とする請求項２に記載の卓上切断機。
【請求項４】
前記扁平モータは、
前記コイルディスクを有する前記回転子と、
前記出力軸を回転可能に支持し、前記磁束発生手段を前記コイルディスクの円板面に対向するように設けた、前記固定子としてのハウジングと、から構成され、
前記磁束発生手段はマグネットを備える、
ことを特徴とする請求項１乃至３のいずれか１項に記載の卓上切断機。
【請求項５】
前記動力伝達部は、前記扁平モータの前記出力軸に設けられる第１ギヤと、前記回転刃の前記回転刃回転軸に固定される回転刃ギヤと、前記切断部に回転可能に支持される中間軸に固定され前記第１ギヤと前記回転刃ギヤとの間に設けられる中間ギヤと、を備え、
前記回転刃回転軸の軸方向視において、前記揺動部が前記テーブル部に前記切断部を近づける方向に最も揺動した状態において、前記扁平モータの外縁および前記中間ギヤの外縁が、前記回転刃回転軸よりも前記第１の軸方向に前記テーブル部より遠くなるよう、前記扁平モータと前記中間ギヤが配置される、
ことを特徴とする請求項１乃至４のいずれか１項に記載の卓上切断機。
【請求項６】
前記中間軸は、前記中間軸の軸方向に延びる一組の略平行な平坦面を有し、
前記切断部は、前記一組の平坦面に係合可能な係合部を有し、前記係合部が前記平坦面に係合して前記中間軸の回転をロックするロック位置と前記傾合を解除して前記ロックを解除するロック解除位置との間を往復動可能に設けられるロック部材を有する、
ことを特徴とする請求項５に記載の卓上切断機。
【請求項７】
前記ロック部材は、前記中間軸の軸方向と略直角方向に往復動可能に設けられる、
ことを特徴とする請求項６に記載の卓上切断機。
【請求項８】
被加工材を上部に載置可能なベース部と、
第１の軸周りに回転可能に前記ベース部に設けられるテーブル部と、
前記第１の軸に略直交する第２の軸周りに回転可能に前記テーブル部に設けられ前記テーブル部の上方で上下に揺動する揺動部と、
回転子と固定子とを備え、前記回転子は出力軸を有し、前記回転子と前記固定子のいずれか一方は複数のコイルが設けられた円板状のコイルディスクを有し、前記回転子と前記固定子のいずれか他方は前記コイルディスクを前記出力軸の軸方向に通過する磁束を発生させる磁束発生手段を有する、扁平モータと、該扁平モータの出力軸の軸方向と前記第２の軸の軸方向それぞれと略平行になるように軸方向が配置される回転刃回転軸に取付け可能な回転刃と、該扁平モータの動力を回転刃に伝達する動力伝達部と、を有し、前記揺動部に設けられる切断部と、を備える、
ことを特徴とする卓上切断機。
【手続補正２】
【補正対象書類名】明細書
【補正対象項目名】０００６
【補正方法】変更
【補正の内容】
【０００６】
上記目的を達成するために、本発明の第１の観点に係る卓上切断機は、被加工材を上部に載置可能なベース部と、第１の軸周りに回転可能に前記ベース部に設けられるテーブル部と、前記第１の軸に略直交する第２の軸周りに回転可能に前記テーブル部に設けられ前記テーブル部の上方で上下に揺動する揺動部と、回転子と固定子とを備え、前記回転子は出力軸を有し、前記回転子と前記固定子のいずれか一方は前記出力軸の軸方向視において前記出力軸を中心に円周方向に配列した略環状の複数のコイルが設けられた円板状のコイルディスクを有し、前記回転子と前記固定子のいずれか他方は前記コイルディスクを前記出力軸の軸方向に通過する磁束を発生させる磁束発生手段を有する、扁平モータと、該扁平モータの出力軸の軸方向と前記第２の軸の軸方向それぞれと略平行になるように軸方向が配置される回転刃回転軸に取付け可能な回転刃と、該扁平モータの動力を回転刃に伝達する動力伝達部と、を有し、前記揺動部に設けられる切断部と、を備える、ことを特徴とする。
【手続補正３】
【補正対象書類名】明細書
【補正対象項目名】００１２
【補正方法】変更
【補正の内容】
【００１２】
また、前記ロック部材は、前記中間軸の軸方向と略直角方向に往復動可能に設けられてもよい。
本発明の第２の観点に係る卓上切断機は、被加工材を上部に載置可能なベース部と、第１の軸周りに回転可能に前記ベース部に設けられるテーブル部と、前記第１の軸に略直交する第２の軸周りに回転可能に前記テーブル部に設けられ前記テーブル部の上方で上下に揺動する揺動部と、回転子と固定子とを備え、前記回転子は出力軸を有し、前記回転子と前記固定子のいずれか一方は複数のコイルが設けられた円板状のコイルディスクを有し、前記回転子と前記固定子のいずれか他方は前記コイルディスクを前記出力軸の軸方向に通過する磁束を発生させる磁束発生手段を有する、扁平モータと、該扁平モータの出力軸の軸方向と前記第２の軸の軸方向それぞれと略平行になるように軸方向が配置される回転刃回転軸に取付け可能な回転刃と、該扁平モータの動力を回転刃に伝達する動力伝達部と、を有し、前記揺動部に設けられる切断部と、を備える、ことを特徴とする。
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
シートを搬送する搬送手段と、
前記搬送手段により搬送中のシートをシートの搬送方向と交差する幅方向へ移動させる第１の移動手段と、
シートに穴を開ける穿孔手段と、
前記穿孔手段を前記幅方向へ移動させる第２の移動手段と、
シート積載手段に排出するシートを、仕分けのために前記第１の移動手段により前記幅方向に移動させるように制御する制御手段と
を備え、
前記制御手段は、前記第２の移動手段により前記穿孔手段を移動させながら、当該穿孔手段によるシートへの穿孔動作と前記第１の移動手段によるシートの移動を並行して行わせることを特徴とするシート処理装置。
【請求項２】
前記制御手段は、前記穿孔手段によるシートへの穿孔動作が終了すると、前記第２の移動手段により前記穿孔手段を、次のシートに対して穿孔動作を行うための基準位置へ移動させることを特徴とする請求項１に記載のシート処理装置。
【請求項３】
前記搬送中のシートの前記幅方向における位置を検知する検知手段をさらに備え、
前記制御手段は、前記検知手段による検知結果に基づいて、当該シートを前記第１の移動手段により移動させることで、前記幅方向におけるシートの位置を補正することを特徴とする請求項１または２に記載のシート処理装置。
【請求項４】
前記制御手段は、前記第1の移動手段によるシートの移動の開始に同期して前記穿孔手段の移動を開始させるよう前記第２の移動手段を制御することを特徴とする請求項１記載のシート処理装置。
【手続補正２】
【補正対象書類名】図面
【補正対象項目名】図２
【補正方法】変更
【補正の内容】
【図２】
2011098791.tif 000001
【手続補正３】
【補正対象書類名】図面
【補正対象項目名】図１０
【補正方法】変更
【補正の内容】
【図１０】
2011098791.tif 000002
【手続補正書】
【提出日】平成24年9月24日(2012.9.24)
【手続補正１】
【補正対象書類名】明細書
【補正対象項目名】０００７
【補正方法】変更
【補正の内容】
【０００７】
容器１の上部開口部２周縁に鍔部３を設け、この容器１の上部開口部２をフィルム４で覆うことで密閉しこのフィルム４を取り除くことで開口する容器１に上方から被嵌する容器の蓋において、蓋体５の周縁部に前記鍔部３の鍔幅に合致する被嵌凹部６を設け、この被嵌凹部６の外側垂下部７に前記鍔部３の外縁に係止する係止部８を一箇所若しくは上下に複数箇所設けると共に、この被嵌凹部６の内側垂下部９を前記フィルム４を取り除いた状態で前記容器１の上部内面10に面接するように構成し、前記フィルム４で前記上部開口部２を密閉している状態では前記内側垂下部９は前記容器１内に入らず、前記一箇所に設けた係止部８若しくは前記複数箇所に設けた下側の係止部８に前記鍔部３の外縁が係止して被嵌係止されるように構成したことを特徴とする容器の蓋に係るものである。
【手続補正２】
【補正対象書類名】明細書
【補正対象項目名】００１７
【補正方法】変更
【補正の内容】
【００１７】
容器１の上部開口部２をフィルム４で覆った状態において、この容器１に上から蓋をする時には、蓋体５の外側垂下部７の下側を容器１の鍔部３の外縁に当接させて蓋体５を押圧すると、前記内側垂下部９は前記容器１内に入らず、前記鍔部３の外縁が外側垂下部７の係止部８で係止することになって、蓋体５が容器１に被嵌係止される。
【手続補正３】
【補正対象書類名】明細書
【補正対象項目名】００１８
【補正方法】変更
【補正の内容】
【００１８】
一方、容器１の上部開口部２からフィルム４を取り除いた状態においては、上述した前記鍔部３の外縁が外側垂下部７の係止部８で係止した状態から更に蓋体５を押圧すると、被嵌凹部６の内側垂下部９が前記容器１の上部内面10に面接すると共に、例えば、前記係止部８を上下に二箇所設けた場合には、更に前記鍔部３の外縁が外側垂下部７の上側の係止部８で係止して蓋体５が容器１に被嵌係止されることになる。即ち、蓋体５の内側垂下部９によって前記容器１が密閉状態になると共に、例えば、前記係止部８を上下に二箇所設けた場合には、外側垂下部７の上側の係止部８で前記鍔部３の外縁が係止されて容器１の密閉状態が保持されることになる。
【手続補正４】
【補正対象書類名】明細書
【補正対象項目名】００３８
【補正方法】変更
【補正の内容】
【００３８】
更に、容器１の上部開口部２からフィルム４を取り除いて蓋20で容器１を密閉している状態から蓋20を外す時、蓋20の周縁部に設けた被嵌凹部６の外側垂下部７を持ち上げるようにして蓋20の上側の係止部８から順に下側の係止部８へと容器１の水平鍔部３を外すと、容器１の上部内面10に面接していた被嵌凹部６の内側垂下部９が容器１の上部内面10から外れて蓋20を外すことができることになる。
【手続補正５】
【補正対象書類名】特許請求の範囲
【補正対象項目名】請求項１
【補正方法】変更
【補正の内容】
【請求項１】
容器の上部開口部周縁に鍔部を設け、この容器の上部開口部をフィルムで覆うことで密閉しこのフィルムを取り除くことで開口する容器に上方から被嵌する容器の蓋において、蓋体の周縁部に前記鍔部の鍔幅に合致する被嵌凹部を設け、この被嵌凹部の外側垂下部に前記鍔部の外縁に係止する係止部を一箇所若しくは上下に複数箇所設けると共に、この被嵌凹部の内側垂下部を前記フィルムを取り除いた状態で前記容器の上部内面に面接するように構成し、前記フィルムで前記上部開口部を密閉している状態では前記内側垂下部は前記容器内に入らず、前記一箇所に設けた係止部若しくは前記複数箇所に設けた下側の係止部に前記鍔部の外縁が係止して被嵌係止されるように構成したことを特徴とする容器の蓋。
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
遊技において所定の条件が成立している特定期間において、周期的に繰り返して再生される楽曲の楽曲データを記憶した楽曲データ記憶手段と、
前記特定期間の開始時に、前記楽曲の再生開始を指示する再生開始指示手段と、
前記再生開始指示手段からの再生開始の指示に基づいて、前記楽曲データ記憶手段から順次読み出した楽曲データに従って音声合成することにより前記楽曲を再生する音声合成手段と、該楽曲を再生しているときに再生中信号を出力する再生中信号出力手段とを含む楽曲再生手段と、
前記特定期間において前記再生中信号出力手段から再生中信号が出力されているか否かを監視する監視手段と、
前記特定期間において前記監視手段が再生中信号の出力が途切れたことを検出したときに、前記楽曲再生手段に前記楽曲の再生開始を再度指示する再生再開始指示手段とを備え、
前記楽曲の再生を終了するときは、前記楽曲の再生音量を０とするまで漸次減少させることにより前記楽曲の再生を終了させ、
前記監視手段は、前記特定期間において所定の契機が生じたときに、再生中信号が出力されているか否かを監視する
ことを特徴とする遊技機。
【手続補正２】
【補正対象書類名】明細書
【補正対象項目名】０００８
【補正方法】変更
【補正の内容】
【０００８】
上記目的を達成するため、本発明にかかる遊技機は、
遊技において所定の条件が成立している特定期間において、周期的に繰り返して再生される楽曲の楽曲データを記憶した楽曲データ記憶手段（ＲＯＭ１２３）と、
前記特定期間の開始時に、前記楽曲の再生開始を指示する再生開始指示手段（ステップＳ１０５）と、
前記再生開始指示手段からの再生開始の指示に基づいて、前記楽曲データ記憶手段から順次読み出した楽曲データに従って音声合成することにより前記楽曲を再生する音声合成手段（音声合成部１２６ａ、レベル調整部１２６ｂ）と、該楽曲を再生しているときに再生中信号を出力する再生中信号出力手段（再生中信号出力部１２６ｃ）とを含む楽曲再生手段（ＡＤＰ１２６、ステップＳ２０４）と、
前記特定期間において前記再生中信号出力手段から再生中信号が出力されているか否かを監視する監視手段（ステップＳ１０７）と、
前記特定期間において前記監視手段が再生中信号の出力が途切れたことを検出したときに、前記楽曲再生手段に前記楽曲の再生開始を再度指示する再生再開始指示手段（ステップＳ１１０）とを備え、
前記楽曲の再生を終了するときは、前記楽曲の再生音量を０とするまで漸次減少させることにより前記楽曲の再生を終了させ（ステップＳ１１１）、
前記監視手段は、前記特定期間において所定の契機が生じたときに、再生中信号が出力されているか否かを監視する
ことを特徴とする。
【手続補正３】
【補正対象書類名】明細書
【補正対象項目名】００１０
【補正方法】変更
【補正の内容】
【００１０】
特定期間においては本来楽曲が再生されているべきものであるが、外部からのノイズの混入などの何らかの異常の発生により楽曲の再生が途切れてしまう場合もあり得る。このように何らかの異常により特定期間において本来再生されるべき楽曲の再生が途切れたとしても、再生再開始指示手段からの指示により再生が開始されるので、本来あるべき楽曲が再生された状態に復帰できるようになる。また、再生開始の指示があれば、特定期間であるかどうかを判断することなく楽曲の再生を継続でき、楽曲の再生のために制御負荷を大きく増大させることがない。また、特定期間の終了時には楽曲の再生がフェードアウトして停止されることとなり、遊技者に違和感を感じさせない。さらに、監視手段は、再生中信号の出力を常に監視している必要がない。これにより、監視手段が再生中信号の出力を監視するために制御負荷を大きく増大させることがない。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
上記遊技機が、
所定の条件が成立することにより、可変表示装置上で複数種類の識別情報を可変表示させると共に、所定時間経過後に予め決定された表示結果を導出表示させる表示制御手段と、
前記可変表示の表示結果として特定の表示態様を導出表示させることが決定されたときに、該特定の表示態様を導出表示した後に、遊技状態を複数のラウンドを含む特定遊技状態に制御する遊技状態制御手段とをさらに備える場合には、
前記特定期間は、遊技状態が前記特定遊技状態に制御されている期間であって、
前記所定の契機は、前記特定遊技状態の各ラウンドが開始されることにより生じるものとしてもよい。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２５
【補正方法】変更
【補正の内容】
【００２５】
請求項１の発明によれば、何らかの異常により特定期間において本来再生されるべき楽曲の再生が途切れても再生再開始指示手段からの指示により再生が開始されるので、本来あるべき楽曲が再生された状態に復帰できるようになる。また、再生開始の指示があれば、特定期間であるかどうかを判断することなく楽曲の再生を継続でき、楽曲の再生のために制御負荷を大きく増大させることがない。また、特定期間の終了時には楽曲の再生がフェードアウトして停止されることとなり、遊技者に違和感を感じさせない。さらに、再生中信号の出力を常に監視している必要がなく、再生中信号の監視のために制御負荷を大きく増大させることがない。
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
遊技を行なう遊技者に対して複数の遊技演出を実行する演出装置を備え、遊技において特定の条件が成立したときに、遊技者にとって有利な特定遊技状態に制御される遊技機であって、
遊技者が所有する記録媒体を認識する認識手段と、
該認識手段により、前記記録媒体が認識されたときから、前記記録媒体が非認識となるまでの間において、前記演出装置が実行した複数の遊技演出を予め設定された遊技演出分類別に各実行状態を特定可能な遊技演出実行情報として、前記記録媒体に記録させる情報格納手段と、
前記記録媒体に記録されている遊技演出実行情報を少なくとも読出し、前記遊技演出分類別の遊技演出各々の実行状態を解析する解析処理を行なうとともに、該解析された遊技演出各々の実行状態に基づいて、前記演出装置に実行させる遊技演出を選択する選択手段と、
日時を特定可能とする計時を行なう計時手段と、
遊技の進行を制御し、前記演出装置を制御するための演出制御コマンドを送信する遊技制御手段と、
該遊技制御手段から送信された前記演出制御コマンドに基づいて所定の演出態様により前記演出装置の制御を行なう演出制御手段とを備え、
前記演出制御手段は、
前記計時手段の計時に用いられる日時の標準値を示す日時標準値コマンドが入力されるコマンド入力手段と、
前記コマンド入力手段から前記日時標準値コマンドが入力されたときに、当該日時標準値コマンドが示す日時の標準値に基づいて、前記計時手段による計時値を標準値に設定する日時設定手段とを含み、
前記選択手段は、異なる複数機種の遊技機での遊技で前記記録媒体に記録された遊技演出実行情報を用いての前記解析処理の結果、前記演出装置に実行させる遊技演出を選択することを特徴とする、遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、パチンコ遊技機、コイン遊技機、スロットマシンなどで代表される遊技機に関する。詳しくは、遊技の演出を行なう演出装置を備え、遊技において特定の条件が成立したときに、遊技者にとって有利な特定遊技状態に制御される遊技機に関する。
【手続補正４】
【補正対象書類名】明細書
【補正対象項目名】０００７
【補正方法】変更
【補正の内容】
【０００７】
本発明は、かかる事情に鑑み考え出されたものであり、その目的は、遊技者の興趣を持続させることが可能な遊技機を提供することである。
【手続補正５】
【補正対象書類名】明細書
【補正対象項目名】０００８
【補正方法】変更
【補正の内容】
【０００８】
（１）  遊技を行なう遊技者に対して複数の遊技演出を実行する演出装置（変動表示装置９、装飾ランプ２５等の各種ランプ、スピーカ２７）を備え、遊技において特定の条件が成立したとき（変動表示装置９の変動表示結果が大当り表示結果となったとき）に、遊技者にとって有利な特定遊技状態（大当り遊技状態）に制御される遊技機（パチンコ遊技機１）であって、
遊技者が所有する記録媒体（記録媒体５０５）を認識する認識手段（ＣＰＵ８６、図３３のＳ２０７ｅ）と、
該認識手段により、前記記録媒体が認識されたとき（図３３のＳ２０７ｅでＹ）から、前記記録媒体が非認識となるまで（図３３のＳ２０７ｅでＮ）の間において、前記演出装置が実行した複数の遊技演出を予め設定された遊技演出分類別に各実行状態を特定可能な遊技演出実行情報（たとえば、図５１（Ａ）、図５１（Ｂ））として、前記記録媒体に記録させる情報格納手段（ＣＰＵ８６、図３３のＳ２０８ｃ）と、
前記記録媒体に記録されている遊技演出実行情報を少なくとも読出し（図５２のＳ５０９Ａ、Ｓ５１５Ａ、Ｓ５１７Ａ、図５４のＳ５３０Ａ、Ｓ５６１Ａ、Ｓ５７５Ａ）、前記遊技演出分類別の遊技演出各々の実行状態を解析する解析処理を行なうとともに、該解析された遊技演出各々の実行状態に基づいて、前記演出装置に実行させる遊技演出を選択する選択手段（ＣＰＵ８６、図５２のＳ５１０Ａ、Ｓ５１６Ａ、Ｓ５１９Ａ、図５４のＳ５３１Ａ、Ｓ５６２Ａ、Ｓ５７６Ａ）と、
日時を特定可能とする計時を行なう計時手段（ＲＴＣＭ１００）と、
遊技の進行を制御し、前記演出装置を制御するための演出制御コマンドを送信する遊技制御手段（遊技制御用マイクロコンピュータ５６０）と、
該遊技制御手段から送信された前記演出制御コマンドに基づいて所定の演出態様により前記演出装置の制御を行なう演出制御手段（演出制御用マイクロコンピュータ８００、ＣＰＵ８６、ＶＤＰ８８）とを備え、
前記演出制御手段は、
前記計時手段の計時に用いられる日時の標準値を示す日時標準値コマンドが入力されるコマンド入力手段（Ｉ／Ｏポート８７）と、
前記コマンド入力手段から前記日時標準値コマンドが入力されたときに、当該日時標準値コマンドが示す日時の標準値に基づいて、前記計時手段による計時値を標準値に設定する日時設定手段（Ｓ６０３）とを含み、
前記選択手段は、異なる複数機種（図５１（Ａ）（Ｂ）の機種ＩＤ２００６−０１〜２００６−０５）の遊技機での遊技で前記記録媒体に記録された遊技演出実行情報を用いての前記解析処理の結果、前記演出装置に実行させる遊技演出を選択する。
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
キャラクタによるキャラクタ演出を含む演出表示を、所定の演出開始条件の成立に応じて実施する演出表示手段と、
前記キャラクタに対して設定されたパラメータを記憶するパラメータ記憶手段と、
前記パラメータ記憶手段に記憶されているパラメータを遊技状況に応じて更新するパラメータ更新手段と、
前記パラメータ記憶手段に記憶されているパラメータを特定可能なパラメータ特定情報を出力するパラメータ特定情報出力手段と、
前記パラメータ特定情報を遊技者から受付けるパラメータ特定情報受付け手段と、
前記パラメータ記憶手段に記憶されたパラメータに応じたキャラクタ演出を決定するキャラクタ演出決定手段と、
を備え、
前記パラメータ特定情報受付け手段における前記パラメータ特定情報の受付けに応じて、前記パラメータ記憶手段に記憶されているキャラクタのパラメータを、該受付けたパラメータ特定情報から特定されるパラメータに更新するとともに、前記演出表示手段が、前記キャラクタ演出決定手段により決定されたキャラクタ演出を行う遊技機であって、
前記パラメータ特定情報受付け手段にて受付けたパラメータ特定情報が、当該遊技機が属する機種の遊技機から出力された自機種パラメータ特定情報であるか、当該遊技機とは異なる他機種の遊技機から出力された他機種パラメータ特定情報であるかを判定するパラメータ特定情報種別判定手段と、
前記他機種パラメータ特定情報が、複数の他機種のうちのいずれの機種の他機種パラメータ特定情報であるかを特定する機種特定手段と、
を備え、
前記キャラクタ演出決定手段は、前記パラメータ特定情報種別判定手段において自機種パラメータ特定情報であると判定されたときには、自機種のキャラクタによるキャラクタ演出を決定する一方、前記パラメータ特定情報種別判定手段において他機種パラメータ特定情報であると判定されたときには、自機種のキャラクタによるキャラクタ演出に加えて、前記機種特定手段により特定された他機種に関連するキャラクタによるキャラクタ演出を決定する
ことを特徴とする遊技機。
【手続補正２】
【補正対象書類名】明細書
【補正対象項目名】０００６
【補正方法】変更
【補正の内容】
【０００６】
上記課題を解決するために、本発明の請求項１に記載の遊技機は、
キャラクタ（キャラクタＡ，Ａ’，Ｂ，Ｂ’，Ｃ，Ｃ’，Ｐ）によるキャラクタ演出を含む演出表示を、所定の演出開始条件（有効始動入賞）の成立に応じて実施する演出表示手段（演出制御基板８０、可変表示装置９）と、
前記キャラクタに対して設定されたパラメータ（レベル）を記憶するパラメータ記憶手段（ＲＡＭ１０８、キャラクタ情報テーブル）と、
前記パラメータ記憶手段に記憶されているパラメータを遊技状況に応じて更新するパラメータ更新手段（演出制御用マイクロコンピュータ１００；ハズレリーチ演出制御処理、レベル値減算処理））と、
前記パラメータ記憶手段に記憶されているパラメータを特定可能なパラメータ特定情報（パスワード）を出力するパラメータ特定情報出力手段（演出制御用マイクロコンピュータ１００；パスワード受付け処理、Ｓｐ３、Ｓｐ１３、Ｓｗ０）と、
前記パラメータ特定情報を遊技者から受付けるパラメータ特定情報受付け手段（演出制御用マイクロコンピュータ１００；パスワード受付け処理、Ｓｐ５、Ｓｗ２，十字キー操作部４０）と、
前記パラメータ記憶手段に記憶されたパラメータに応じたキャラクタ演出を決定するキャラクタ演出決定手段（演出制御用マイクロコンピュータ１００；対決パターン決定処理）と、
を備え、
前記パラメータ特定情報受付け手段における前記パラメータ特定情報の受付けに応じて、前記パラメータ記憶手段に記憶されているキャラクタのパラメータを、該受付けたパラメータ特定情報から特定されるパラメータに更新するとともに、前記演出表示手段が、前記キャラクタ演出決定手段により決定されたキャラクタ演出を行う遊技機であって、
前記パラメータ特定情報受付け手段にて受付けたパラメータ特定情報が、当該遊技機が属する機種の遊技機から出力された自機種パラメータ特定情報（自機種パスワード）であるか、当該遊技機とは異なる他機種の遊技機から出力された他機種パラメータ特定情報（他機種パスワード）であるかを判定するパラメータ特定情報種別判定手段（演出制御用マイクロコンピュータ１００；パスワード受付け処理、Ｓｐ２０、Ｓｐ２１、Ｓｗ２０、Ｓｗ２１）と、
前記他機種パラメータ特定情報が、複数の他機種のうちのいずれの機種の他機種パラメータ特定情報であるかを特定する機種特定手段と、
を備え、
前記キャラクタ演出決定手段は、前記パラメータ特定情報種別判定手段において自機種パラメータ特定情報であると判定されたときには、自機種のキャラクタ（キャラクタＡ，Ａ’，Ｂ，Ｂ’，Ｃ，Ｃ’，Ｐ）によるキャラクタ演出（対決リーチ）を決定する一方、前記パラメータ特定情報種別判定手段において他機種パラメータ特定情報であると判定されたときには、自機種のキャラクタによるキャラクタ演出に加えて、前記機種特定手段により特定された他機種に関連するキャラクタ（キャラクタＸ、キャラクタＹ）によるキャラクタ演出を決定することを特徴としている。
この特徴によれば、他機種パラメータ特定情報を受付けたときには、他機種に関連するキャラクタによるキャラクタ演出が行われるため、他機種において遊技を実施した遊技者による自機種での遊技を促進することができる。また、他機種パラメータ特定情報を受付けたときには、当該他機種の機種が特定されて、該特定された機種に関連するキャラクタによるキャラクタ演出が行われるため、より一層、自機種での遊技を促進することができる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明の手段２の遊技機は、請求項１、手段１のいずれかに記載の遊技機であって、
所定の遊技終了条件（打球操作ハンドル５の操作がされなくなって１分間が経過し、且つ、可変表示部９において演出表示がされていないこと）の成立に基づいて遊技終了（非稼働）を検知する遊技終了検知手段（演出制御用マイクロコンピュータ１００；非稼働判定処理）を備え、
前記キャラクタ演出決定手段（演出制御用マイクロコンピュータ１００；対決パターン決定処理）は、前記遊技終了検知手段により遊技終了を検知したことを条件に、前記他機種に関連するキャラクタ（キャラクタＸ，キャラクタＹ）によるキャラクタ演出を決定しないことを特徴としている。
この特徴によれば、交代後の遊技客の遊技において、交代前の遊技客の入力に基づく他機種に関連するキャラクタによるキャラクタ演出が実施されてしまうことを、極力防止することができる。